(57)【特許請求の範囲】
【請求項１】
上部に燃料容器兼燃焼室蓋（５）を設け、下部に燃焼焼空気調整口（１７）を通じて外気空気が導入される火格子付受け皿（６）を設けてなる縦長の筒状に形成された金属製の燃料容器兼燃焼室（４）と、該燃料容器兼燃焼室（４）に隣接して、上部に煙突（９Ａ）を設けて縦長の筒状に形成された金属製の排煙室（３）とを配設した燃焼温風発生器において、該排煙室（３）内に空気取り入れ送風機（１６）に連接されて外気空気が燃焼温風発生器の外周に設けた風洞（１４）により温風にされて導入されてくる再加熱管（１９）を配設すると共に、該燃料容器兼燃焼室（４）の中央で火格子付受け皿（６）の上部に接近させて排煙誘導吸込口（８Ａ）を臨ませ、隣接する排煙室（３）に排煙誘導吐出口（８Ｂ）を位置させた排煙誘導筒（８）を設けて、燃料容器兼燃焼室（４）と煙突（９Ａ）とを排煙室（３）を介して連通させ、さらに、燃料容器兼燃焼室（４）の外周に火格子付受け皿（６）の外周に連通する燃焼ガス道（１８）を形成し、排煙誘導筒（８）の排煙誘導吐出口（８Ｂ）の外周に形成される通路（１８Ａ）からも排煙を排煙室（９）に排出するようにすることで、該排煙室（３）内に、煙突（９Ａ）へ放出される排煙の燃焼熱を吸収して内部の温風を再加熱できる前記再加熱管（１９）を、該再加熱管（１９）の温風入口側を上部に、温風取出口側を下部にして斜め姿勢に配設したことを特徴とする粒状燃料の燃焼温風発生器。
【請求項２】
燃料容器兼燃焼室（４）および排煙室（３）の外周全域に沿わせて、金属製の熱交換フィンや外カバーからなる風洞（１４）を巡らして、燃料容器兼燃焼室（４）および排煙室（３）の外壁熱  余熱を風洞内に伝達するように構成し、該風洞（１４）の入り口側に、外気空気を導入する空気取入れ送風機（１６）を連設し、該風洞の出口側を、温風取出口を有する再加熱管（１９）に連通させたことを特徴とする請求項１に記載された粒状燃料の燃焼温風発生器。
【発明の詳細な説明】
【技術分野】
【０００１】  本発明は、中目粉炭など粒状燃料を用いた燃焼器に関し、粒状燃料の補充間隔時間を長くできる粒状燃料の燃焼器であって、燃焼により発生する熱を効率良く温風に変換し、所望室内に温風を供給する粒状燃料の燃焼温風発生器に関するものである。
【背景技術】
【０００２】  農作物等の栽培において、ビニールハウスなどの農業用温室が使用されている。この温室は、地域やその目的に応じて、さまざまな態様で使用されており、たとえば、温室内に暖房手段がなく密閉されたビニールで温室全体を覆って保温するもの、温室内に暖房手段を備えておき、夜間などに限定して強制暖房するもの、又は、常時強制暖房するものなどがある。【０００３】  従来、上記の暖房手段として、一般的に、重油等を燃焼させる専用の暖房装置が使用されてきた。この暖房装置は、温室の内部に設置される場合、一般的に重油の燃焼運転を、運転稼働状態、運転停止状態にオンオフ制御させることにより温度制御が行われる。また、煙突等を介して燃焼ガスを温室の外部に放出している。この理由は、重油等の燃焼ガスは、硫黄酸化物等を含んでいるため、温室内に放出すると温室内の空気を汚染し、硫黄酸化物が農作物に付着してしまう恐れがあるからである。【０００４】  ところで、産業廃棄物扱いとされている大量の木材や、間伐材等の木材を有効利用する一つの方法として、これら木材を木炭や木質ペレットとして再生し、再生された木炭や木質ペレットを有効利用する一つに、暖房用燃料として使用する方法がある。
【先行技術文献】
【特許文献】
【０００５】
【特許文献１】特許第３０２５９５３号公報「木炭ストーブ」
【特許文献２】特開２００５−２０７７２７号公報「木炭燃焼装置」
【特許文献３】特開２００６−２３０７４号公報「木炭燃焼装置」
【特許文献４】特開２００９−１９８１１３号公報「固形燃料燃焼器」
【特許文献５】特開２００７−５６２３７号公報「炭化物生成窯及び炭化物生成方法」
【発明の概要】
【発明が解決しようとする課題】
【０００６】  上記の特許文献１〜特許文献４に示されるように、木材を木炭や木質ペレットに加工して暖房用燃料として使用する場合には、木材を燃料として手頃な大きさに切断、割砕するなどの手間を要し、また燃えやすいように乾燥保管しておくなどの課題があり、現実的にはなかなか普及が進まない状況とみられるのが実情である。
そのための一方策として、特許文献５に示されるように大量の木材を上方が開放されたプール状の平炉で機械力を駆使して取り扱い性の良い粉粒状の粉炭を製造する技術が開発されており、本発明者は、この粉炭を燃料として活用することにより木材を暖房用燃料として使用する場合の上記課題を解決できるのではないかとの発想に至ったものであり、本発明は、この粉炭のうちの中目粉炭（屑炭）を燃料として有効利用し、長時間燃焼と燃焼熱を熱交換し、温風で温室内を暖房する装置である。【０００７】  木炭（中目粉炭を含む）は、木材を暖房用燃料として使用する場合に比べて、燃料として大きさが揃っていること、乾燥されているなどの利点があるが、普及が進んでいる重油や灯油などの液体燃料に比べて、火力（熱量）を自動調整しながら長時間連続で燃焼（発熱）させることが困難であるといった問題があった。すなわち、温室内で木炭燃焼装置を使用するには、安定した火力で長時間燃焼することができる木炭燃焼装置を開発する必要があった。
そのために、１）粉炭（中目粉炭含む屑炭）の有効利用をすること。２）粉炭を燃やして燃焼により発生する熱を温風に変換し、該温風を供給することにより農業用ビニールハウス等温室内の基礎温度を上げ、既設の重油や灯油による暖房装置の燃料消費量を抑制すること。３）夜間に燃料（粉炭）の補給を要しないこと。４）粉炭の生産者は、製品としての粉炭を山積み保管している場合が多く、山積みされた粉炭製品の自然発火を防ぐために、時々適宜に散水をしている。そのために、粉炭が湿潤して概ね１０〜１３％の水分含有率があり、粉炭が燃焼し難い。５）粉炭の燃焼ガスは直接農業用の温室内に放出することを避ける。などの課題解決が求められている。
【課題を解決するための手段】
【０００８】  本発明は、上記問題を解決するために創案されたものであり、火力を安定させて長時間に亘り粒状の木炭（中目粉炭）を燃焼させ、燃料の補充間隔時間を長くできる粒状燃料の燃焼温風発生器を開発し、温室内の基礎温度を上げることを目的とする。【０００９】  上記目的を達成するため、本発明の粒状燃料の燃焼温風発生器は、中目粉炭が収められる燃料容器兼燃焼室と、燃焼室内煙突、燃焼空気供給口、火格子、排気口、空気取入送風機、熱交換フィン、再過熱管、及び、温風取出口を有し、燃焼空気供給口の開度を調節することにより、燃焼時間と火力の調整ができる構成とした。【００１０】  このための解決手段の第一として、上部に燃料容器兼燃焼室蓋（５）を設け、下部に燃焼焼空気調整口（１７）を通じて外気空気が導入される火格子付受け皿（６）を設けてなる縦長の筒状に形成された金属製の燃料容器兼燃焼室（４）と、該燃料容器兼燃焼室（４）に隣接して、上部に煙突（９Ａ）を設けて縦長の筒状に形成された金属製の排煙室（３）とを配設した燃焼温風発生器において、該排煙室（３）内に空気取り入れ送風機（１６）に連接されて外気空気が燃焼温風発生器の外周に設けた風洞（１４）により温風にされて導入されてくる再加熱管（１９）を配設すると共に、該燃料容器兼燃焼室（４）の中央で火格子付受け皿（６）の上部に接近させて排煙誘導吸込口（８Ａ）を臨ませ、隣接する排煙室（３）に排煙誘導吐出口（８Ｂ）を位置させた排煙誘導筒（８）を設けて、燃料容器兼燃焼室（４）と煙突（９Ａ）とを排煙室（３）を介して連通させ、さらに、燃料容器兼燃焼室（４）の外周に火格子付受け皿（６）の外周に連通する燃焼ガス道（１８）を形成し、排煙誘導筒（８）の排煙誘導吐出口（８Ｂ）の外周に形成される通路（１８Ａ）からも排煙を排煙室（９）に排出するようにすることで、該排煙室（３）内に、煙突（９Ａ）へ放出される排煙の燃焼熱を吸収して内部の温風を再加熱できる前記再加熱管（１９）を、該再加熱管（１９）の温風入口側を上部に、温風取出口側を下部にして斜め姿勢に配設したことを特徴とするものである。【００１１】  また解決手段の第二として、燃料容器兼燃焼室（４）および排煙室（３）の外周全域に沿わせて、金属製の熱交換フィンや外カバーからなる風洞（１４）を巡らして、燃料容器兼燃焼室（４）および排煙室（３）の外壁熱  余熱を風洞内に伝達するように構成し、該風洞（１４）の入り口側に、外気空気を導入する空気取入れ送風機（１６）を連設し、該風洞の出口側を、温風取出口を有する再加熱管（１９）に連通させたことを特徴とするものである。
【発明の効果】
【００１２】  以上のように、本発明の粒状燃料の燃焼温風発生器によれば、燃料容器兼燃焼室の外周に燃焼ガス道を設けたことにより排ガスによる燃料容器兼燃焼室の加熱促進を図ると共に、燃焼により発生する熱を風洞や再過熱管を用いて効率良く温風に変換して、所望室内に温風を供給するものであり、従来の重油や灯油などの液体燃料を使用する暖房装置と併用することにより、温室内の温度調節もでき、温室内の基礎温度を上げることにより、液体燃料の使用量を抑えることができる。
【図面の簡単な説明】
【００１３】
【図１】本発明に係る粒状燃料の燃焼温風発生器の右側面内部の概略断面図を示している。
【図２】本発明に係る粒状燃料の燃焼温風発生器の正面要部、排煙室部分の概略断面図を示している。
【図３】本発明に係る粒状燃料の燃焼温風発生器の概略正面図を示し、燃焼空気、排ガスの流れを示している。
【図４】本発明に係る粒状燃料の燃焼温風発生器の概略右側面図を示し、燃焼空気、排ガスの流れを示している。
【図５】本発明に係る粒状燃料の燃焼温風発生器の概略平面図を示している。
【図６】本発明に係る粒状燃料の燃焼温風発生器の正面右斜めからの作用状態を示す透視図で、熱交換フィンを介した空気の流れを示している。
【図７】本発明に係る粒状燃料の燃焼温風発生器の後面右斜めからの作用状態を示す透視図で、熱交換フィンを介した空気の流れを示している。
【図８】本発明に係る粒状燃料の燃焼温風発生器の燃焼試験のグラフデータの一部で、中目粉炭を１０Ｋｇ投入したデータを示している。
【図９】本発明に係る粒状燃料の燃焼温風発生器を追加設置した農業温室の概略正面の断面図を示している。
【図１０】本発明に係る粒状燃料の燃焼温風発生器を追加設置した農業温室の概略平面図を示している。
【発明を実施するための形態】
【００１４】  以下本発明の実施形態に係る粒状燃料の燃焼温風発生器を詳細に説明する。
図１において、粒状燃料の燃焼温風発生器１は、燃料容器兼燃焼室４、排煙誘導筒８、排煙室９、煙突９Ａ、空気取入送風機１６、風洞１４、熱交換フィン１５、再加熱管１９、温風取出口２０とからなっており、該粒状燃料の燃焼温風発生器１の外側を外カバー２で覆うように囲っている。
図１に示す、粒状燃料の燃焼温風発生器１の概略断面図から、燃料として使用する中目粉炭７は、大きさが不揃いな塊状、片状、粒状のものが混在する不整形であり、通常、一辺が約３０ｍｍ以下で粉状のものも混在する。好ましくは、粉状のものが混ざらないほうが、燃焼材７の目詰まりがなく酸素補給が促進されて火力が安定する。
なお、燃料とする木炭は、上記中目粉炭７に限定するものではなく、一辺が３０ｍｍ以上の木炭を混合させたものでもよい。本発明ではこれらの塊状、片状、粒状、粉状の木炭燃料を総称して粒状燃料と表現している。
【００１５】（燃料容器兼燃焼室）
燃料容器兼燃焼室４は、縦長の円筒状の金属製のドラム容器であり、燃料の中目粉炭７は該燃料容器兼燃焼室４の上部を開閉自在に被覆する円筒状の上蓋５を開放して投入され、下部の円筒状の火格子付受け皿６で受け止める。該火格子付受け皿６は側方に出し入れ自在にスライドされる構成になっており、受け皿取り出し口１０を介して外部に取り出して該火格子付受け皿６の火格子部の掃除が可能とされている。１１は火格子付受け皿６の下部にある灰溜で、該灰溜１１の底部に灰受皿１３が側方へスライド自在に載置されており、灰取出し口１２から外部に取り出して灰の処理を可能にできる。
【００１６】  また、本実施形態の燃料容器兼燃焼室４の容器には、約２５ｋｇの中目粉炭７が投入できる大容量に構成されたものであり、ほぼ満杯となるまで中目粉炭７を投入すると、たとえば、１時間当たり２ｋｇの中目粉炭７を燃焼消費する場合は、途中で補給しなくても、約１２．５時間に亘り連続運転をすることができる。
したがって、粒状燃料の補充間隔時間を長くできるものであり、夜間の燃料補給を省略して、一日に二回程度の燃料補給で連続運転をすることができる。
【００１７】  燃料容器兼燃焼室４に投入した中目粉炭７に着火するときには、円筒状の火格子付受け皿６を外部にスライドさせて引き出して着火用の火種を載せた後に燃料容器兼燃焼室４の下部の所定位置に火格子付受け皿６を押し戻すことで、該火格子付受け皿６に燃焼焼空気調整口１７を通じて外気空気が導入されて着火することができる。あるいは、灰取出し口１２を開放して灰溜１１を利用して、着火用のライター、ガストーチなどを臨ませて火格子付受け皿６の火格子から中目粉炭７の下部に着火することもできるものであり、着火されると排煙誘導筒８が煙突９Ａの吸引力を受けて燃焼焼空気調整口１７を通じて導入される中目粉炭７内の空気を引き抜き着火を促進して中目粉炭７の燃焼を導くものである。
【００１８】（排煙誘導筒）
排煙誘導筒８は、エルボ状の金属パイプ製で直角に屈曲形成されており、燃料容器兼燃焼室４の中央で火格子付受け皿６の上部に接近させて排煙誘導吸込口８Ａを臨ませ、隣接する排煙室９に排煙誘導吐出口８Ｂを位置させている。これにより燃焼排煙が燃料容器兼燃焼室４から排煙室９に排煙を誘導して燃料の燃焼を促進するものであると共に、燃料の中目粉炭７が若干の水分（１０〜１３％）を含んでいるので、前記燃料容器兼燃焼室４の容器内で中目粉炭７の乾燥を促進する予備乾燥をする目的と、該中目粉炭７が燃焼することに伴い発生する高温の燃焼ガスを直接排煙室９に送り再加熱管１９の加熱を早く高温にする目的である。また、図１および図４に示されるように燃料容器兼燃焼室４の外周に、火格子付受け皿６の外周に連通路６Ａを介して連通する燃焼ガス道１８が形成されていて、排煙誘導筒８の排煙誘導吐出口８Ｂの外周に形成される通路１８Ａからも排ガスを排煙室９に排出するようにすることで、火格子付受け皿６からの排ガスの流出促進と排ガスによる燃料容器兼燃焼室４の加熱促進を図るようにされている。
【００１９】（排煙室）
本実施形態の排煙室９は縦長の箱状に形成されており、上部に煙突９Ａが設けてあり、下部に温風取出口２０を有する再加熱管１９を煙突９Ａに近い高所から下部に向けて斜めにする状態で内蔵している。該排煙室９は、燃料容器兼燃焼室４の背面側に隣接して配設されており、燃料容器兼燃焼室４で発生する高温の排煙を排煙誘導筒８を介して受け入れ、更に、図４に示されるように火格子付受け皿６からの排ガスを排煙誘導筒８の排煙誘導吐出口８Ｂの外周に形成される通路１８Ａからも受け入れることにより、煙突９Ａから排煙される高温の排気ガス温度を利用して、再加熱管１９が排煙室９内の熱を吸収して内部の温風を加熱するため、煙突９Ａから排気される排気ガス温度を下げることができる。
【００２０】（空気取入送風機）
本実施形態の空気取入送風機１６は、電源１００ｖ容量８０ｗ送風量９．５ｍ３／ｍｉｎとしたが、送風機容量を変えることにより、温風温度及び排気ガス温度を変えることができる。
【００２１】（熱交換フィン）
本実施形態の熱交換フィン１５は金属製で、金属製の燃料容器兼燃焼室４及び排煙室９の外装に横向き鰭状に溶着して取付けられ、空気取入送風機１６により送られる空気が、熱交換フィン１５や外カバー２、排煙室壁３、燃焼ガス道１８の外側壁３で構成された風洞１４内を通過して、該燃料容器兼燃焼室４及び排煙室９の熱を受けて熱せられている熱交換フィン１５に接することで熱せられ、温風に変換するものである。
【００２２】（風洞）
本実施形態の風洞は、図６、図７に詳細に図示されているが、空気収入れ送風機１６に連設されて外気空気を導入する燃料容器兼燃焼室４の正面に位置する入り口側正面風洞（１次加熱用）１４Ａの上下複数層風洞で１次加熱され、次に燃料容器兼燃焼室４と排煙室９の右側面に位置する上下多数の複数層に形成された側面風洞（２次加熱用）１４Ｂで２次加熱され、続いて排煙室９の背面に位置する上下多数の複数層に形成された背面風洞（３次加熱用）１４Ｃで３次加熱され、該背面風洞（３次加熱用）１４Ｃの出口側に縦方向の連通路からなる縦通路風洞（４次加熱用）１４Ｄで４次加熱する。そして、縦通路風洞（４次加熱用）１４Ｄの上部から、排煙室９の背面部、右側面部を経由して排煙室９の背面上部に至るバイパス風洞（５次加熱用）１４Ｅで５次加熱し、更に排煙室９の背面から上部を超えて正面側に迂回する上部風洞（６次加熱用）１４Ｆで６次加熱される。
【００２３】  このように６次加熱された温風を燃料容器兼燃焼室４の左側面に上部位置から下部位置に向かうように葛折り状に形成されたジグザグ風洞（７次加熱用）１４Ｇを通過させることにより７次加熱を行い、そして排煙室９の左側面下部から上部の再加熱管１９に連通する縦方向の出口側風洞（８次加熱用）１４Ｈで８次加熱を行い、最後に再加熱管１９で最終の再加熱をすることにより、温風取出口２０の温度を高温にすることができるものである。
【００２４】  以上のように、金属製の燃料容器兼燃焼室４および排煙室９の外周全域に沿わせて、金属製の熱交換フィン１５、外カバー２などからなる風洞１４が巡らされている。すなわち、空気取入れ送風機１６に連設されて外気空気を導入する入り口側正面風洞（１次加熱用）１４Ａ、側面風洞（２次加熱用）１４Ｂ、背面風洞（３次加熱用）１４Ｃ、縦通路風洞（４次加熱用）１４Ｄ、バイパス風洞（５次加熱用）１４Ｅ、上部風洞（６次加熱用）１４Ｆ、ジグザグ風洞（７次加熱用）１４Ｇ、出口側風洞（８次加熱用）１４Ｈ、が巡らされており、出口側風洞（８次加熱用）１４Ｈが再加熱管１９に連通している。燃料の燃焼により、金属製の熱交換フィン１５、外カバー２などからなる風洞１４が熱せられているので、空気取入れ送風機１６から供給される空気がこの風洞１４内を通過することにより１次加熱から８次加熱に至るまでに順次加熱されて熱せられて、最後には排煙室９内に設けられた再加熱管１９で内部の温風が再加熱されて煙突９Ａへ放出される放出熱を再加熱管１９内の温風の加熱促進に有効利用して、温風取出口２０から温風ダクト２１を通じて温室２４内に放出される。
【００２５】（再加熱管）
上記のように、上記熱交換フィン１５で構成される風洞１４のみでは十分な熱回収ができない恐れがあるため、温風取出口２０に連通する再加熱管１９を、図１、図２、図３などから明らかなように空気取り入れ送風機１６に連接されて外気空気が燃焼温風発生器の外周に設けた風洞１４により温風にされて導入されてくる再加熱管１９を、該再加熱管１９の温風入口側を上部に、温風取出口側を下部にして排煙室９の中を斜め姿勢に貫通させることにより限られたスペースの中でコスト安価に可及的に再加熱管１９を長く構成して、排煙室９内の熱を有効的に吸収することができて、再加熱管１９を通過する温風を再加熱して回収熱効率を上げる効果を奏するものである。
【００２６】  上記により、図８に示すように、煙突９Ａからの排気温度と、温風取出口２０からの温風取出口温度の差は殆んど無くなる。
すなわち、排気口の温度と温風取出口の温度がほぼ一緒であることは、熱回収効率の高いことを示している。また、燃料容器兼燃焼室４の容量を大きく変更することで中目粉炭の量を増やすことが可能になることにより、さらに燃料補給回数を少なくして燃焼の連続運転の長時間対応が可能であることも示している。
【００２７】（温室への応用）
図９および１０は、本発明の実施形態に係る粒状燃料の燃焼温風発生器の設置状態を説明するための概略図を示している。
同図において、粉炭燃焼温風発生器１は、農作物としての一例である薔薇２３を栽培する温室２４の内部に設置してあり、粒状燃料の燃焼温風発生器１の温風取出口２０に接続されているビニールホースなどによる温風ダクト２１の末端開放端および温風ダクト２１の途中に多数穿設されている温風吹出口２２から温風を温室２４の内部空間２５に供給する。このようにすると、温室２４の内部空間２５の温度を上げることができる。
【００２８】  内部空間２５の温度を上げることにより、既設の重油による暖房装置２８の運転間隔が長くなり、重油や灯油などの液体燃料の使用量を抑制でき、コスト削減と地球温暖化の抑制ができる。
また、本発明に係る粒状燃料の粉炭燃焼温風発生器１は、温室２４の内部温度が設定値より上昇した場合は、温度調節器２６の検知結果により、空気取入れ送風機１６を停止し、温風の送風を停止する機能をもっている。
【実施例】
【００２９】  以上の実施形態の構成により、粒状燃料の燃焼温風発生器１の燃料容器兼燃焼室４に投入された燃料（中目粉炭）７は、燃料容器兼燃焼室蓋５を閉めた状態で燃焼空気調節口１７からの空気を煙突９Ａからの吸引力で吸い込みながら燃焼させられ、排煙は排煙誘導筒８および燃焼ガス道１８を経て排煙誘導筒８の外周通路１８Ａから排煙室９に至り、排煙室９から煙突９Ａを経て外部に放出される。これにより燃料（中目粉炭）７は、湿潤状態のものでも燃焼熱を受けて乾燥を促進されて順調に燃焼して、金属製の燃料容器兼燃焼室４および排煙室９を熱するものであり、これらの外周に巡らされている金属製の熱交換フィン１５などからなる風洞１４を熱しているので、空気取入れ送風機１６から供給される空気がこの風洞１４内を通過することにより順次熱せられて、最後には排煙室９内に斜め姿勢に設けられた再加熱管１９で加熱されて煙突９Ａへ放出される放出熱を再加熱管１９内の温風の加熱促進に有効利用して、温風取出口２０から温風ダクト２１を通じて温風吹出口２２から温室２４内に放出される。このようにして、燃料（中目粉炭）７の燃焼エネルギーを温風発生に有効的に利用して温室内の補助暖房に利用できるものである。
【産業上の利用可能性】
【００３０】  本発明に係る粒状燃料の燃焼温風発生器は、燃焼ガスは煙突から放出し、空気を温風に変換して暖房する装置であるため、広い範囲での利用可能性がある。
たとえば、農業用ビニールハウス栽培に利用することのほか、中規模の事務所、食堂、集会所、娯楽施設等の暖房としても使用することが可能であり、これにより、通常のエアコンに比べて、電気の使用量を極端に低減できるため、地球温暖化を抑制することができる。
また、家庭用や山小屋等の、室内暖房、床下暖房にも適している。
また、排煙室の内部や燃料容器兼燃焼室４および排煙室９の外周などに、水道に連通している金属製パイプなどを配設することにより、水道水を温めて温水に変換することも可能であるものである。【００３１】  なお、本発明に係る粒状燃料の燃焼温風発生器は、燃料として木炭を例示したが、木炭以外の竹炭材や食品残滓の有機廃棄物炭材でも良く、廃棄木質材や間伐材、流木や製材所から排出される樹皮、木屑を粉砕して圧縮整形し、直径４〜８ｍｍ程度のペレット形状にした木質ペレットや、該木質ペレットに粉炭を混入した粉炭入り木質ペレットなどの燃料材でも採用して燃焼させることが可能であり、これらをすべて含めて粒状燃料と総称するものであることを付言する。
【符号の説明】
【００３２】  １  粒状燃料の燃焼温風発生器
２  外カバー
３  排煙室壁
４  燃料容器兼燃焼室
５  燃料容器兼燃焼室蓋
６  火格子付受け皿
７  燃料（中目粉炭）
８  排煙誘導筒
８Ａ  排煙誘導吸込口
８Ｂ  排煙誘導吐出口
９  排煙室
９Ａ  煙突
１０  火格子付受け皿取出し口
１１  灰溜
１２  灰取出し口
１３  灰受皿
１４  風洞
１４Ａ  入り口側正面風洞（１次加熱用）
１４Ｂ  側面風洞（２次加熱用）
１４Ｃ  背面風洞（３次加熱用）
１４Ｄ  縦通路風洞（４次加熱用）
１４Ｅ  バイパス風洞（５次加熱用）
１４Ｆ  上部風洞（６次加熱用）
１４Ｇ  ジグザグ風洞（７次加熱用）
１４Ｈ  出口側風洞（８次加熱用）
１５  熱交換フィン
１６  空気取入れ送風機
１７  燃焼空気調節口
１８  燃焼ガス道
１９  再加熱管
２０  温風取出口
２１  温風ダクト
２２  温風吹出口
２３  農作物（薔薇）
２４  温室
２５  温室内部空間
２６  温度調節器
２７  制御箱
２８  重油暖房機
２９  炭酸ガス発生機
【図１】
0005467390.tif 000002
【図２】
0005467390.tif 000003
【図３】
0005467390.tif 000004
【図４】
0005467390.tif 000005
【図５】
0005467390.tif 000006
【図６】
0005467390.tif 000007
【図７】
0005467390.tif 000008
【図８】
0005467390.tif 000009
【図９】
0005467390.tif 000010
【図１０】
0005467390.tif 000011